(57)【要約】  【課題】  計画的な犯行者であっても不審人物として検出することができる不審人物検出装置を提供すること。  【解決手段】  不審人物検出装置１は、監視領域を撮像する少なくとも一つのカメラ２と、カメラ２によって得られた映像信号を画像処理で解析して、監視領域内の人物がカメラ２を見たか否かを判定する目視判定手段３と、目視判定手段３によってカメラ２を見たと判定された場合に、不審人物情報を出力する不審人物情報出力手段４とを備える。【選択図】  図１
2006092290.tif 000002
【特許請求の範囲】
【請求項１】
監視領域を撮像する少なくとも一つの撮像手段と、
前記撮像手段によって得られた映像信号を画像処理で解析して、前記監視領域内の人物が前記撮像手段を見たか否かを判定する目視判定手段と、
前記目視判定手段によって前記撮像手段を見たと判定された場合に、不審人物情報を出力する不審人物情報出力手段とを備えたことを特徴とする不審人物検出装置。
【請求項２】
前記監視領域に投光する少なくとも一つの投光手段を備え、前記目視判定手段は、前記撮像手段が取得した反射光を含む映像信号を画像処理で解析して、前記監視領域内の人物が前記撮像手段を見たか否かを判定するようにしたことを特徴とする請求項１に記載の不審人物検出装置。
【請求項３】
前記目視判定手段の判定結果に基づいて、前記投光手段の投光パターンを制御する制御手段を備えたことを特徴とする請求項２に記載の不審人物検出装置。
【請求項４】
前記監視領域に赤外線を投射する少なくとも一つの赤外線投射手段を備え、前記目視判定手段は、前記撮像手段が取得した前記赤外線の反射光を含む映像信号を画像処理で解析して、前記監視領域内の人物が前記撮像手段を見たか否かを判定するようにしたことを特徴とする請求項１に記載の不審人物検出装置。
【請求項５】
前記目視判定手段の判定結果に基づいて、前記赤外線投射手段の投射パターンを制御する制御手段を備えたことを特徴とする請求項４に記載の不審人物検出装置。
【請求項６】
前記目視判定手段は、前記監視領域内にいる人物が前記撮像手段を予め設定された時間以上見続けた場合に、前記監視領域内にいる人物が前記撮像手段を見たと判定することを特徴とする請求項１から５までのいずれかに記載の不審人物検出装置。
【請求項７】
前記目視判定手段は、前記監視領域内にいる人物が予め設定された回数以上前記撮像手段を見た場合に、前記監視領域内にいる人物が前記撮像手段を見たと判定することを特徴とする請求項１から６までのいずれかに記載の不審人物検出装置。
【請求項８】
前記目視判定手段は、前記監視領域内にいる人物が予め定められた前記撮像手段数を見た場合に、前記監視領域内にいる人物が前記撮像手段を見たと判定することを特徴とする請求項１から７までのいずれかに記載の不審人物検出装置。
【請求項９】
前記目視判定手段は、前記監視領域内に複数の人物がいる場合に、各々の人物について前記撮像手段を見たか否かを判定し、
前記不審人物情報出力手段は、前記目視判定手段による各々の人物に対応する判定結果に基づいて、各々の不審人物情報を出力するようにしたことを特徴とする請求項１から８までのいずれかに記載の不審人物検出装置。
【請求項１０】
前記目視判定手段は、前記監視領域内にいる人物が前記撮像手段を見続けた時間、前記監視領域内にいる人物が前記撮像手段を見た回数および前記監視領域内にいる人物が見た前記撮像手段数のうち少なくとも一つの判定結果を前記不審人物情報出力手段に出力し、前記不審人物情報出力手段は、前記目視判定手段の判定結果に基づいて、不審の程度を表す不審程度情報を出力するようにしたことを特徴とする請求項１から９までのいずれかに記載の不審人物検出装置。
【発明の詳細な説明】
【技術分野】
【０００１】
本発明は、監視カメラ等を用いて不審人物を検出できる不審人物検出装置に関するものである。
【背景技術】
【０００２】
従来の不審人物検出装置２１は、図７に示すように、建造物の入り口に取り付けられ状況を画像情報とし撮影するＩＴＶカメラ２２と、予め被映写物の大きさ及び形状を登録して記憶させる記憶装置２３と、ＩＴＶカメラ２２により撮影された画像情報の時系列変化分を検出して保持する映像メモリ２４と、映像メモリ２４に保存された時系列変化分及び記憶装置２３に登録された画像とＩＴＶカメラ２２に撮影された画像情報とを比較し不審人物と判断し警報装置２５に出力する中央処理装置２６とを具備しており、特定の人物が滞留した場合に、不審人物であると中央処理装置２６が判断し、警報装置２５が警報を発するようになっている（例えば特許文献１参照）。
【特許文献１】特開平４−１００９９号公報
【発明の開示】
【発明が解決しようとする課題】
【０００３】
しかしながら、従来の不審人物検出装置は、事前にカメラの存在を察知し、監視カメラを意識して自然な行動を取りつつ、隙をついて突如犯罪行動を起こすといった計画的な犯行者を不審人物として検出することができないという問題があった。
【０００４】
本発明は、従来の問題を解決するためになされたもので、計画的な犯行者であっても不審人物として検出することができる不審人物検出装置を提供することを目的とする。
【課題を解決するための手段】
【０００５】
本発明の不審人物検出装置は、監視領域を撮像する少なくとも一つの撮像手段と、前記撮像手段によって得られた映像信号を画像処理で解析して、前記監視領域内の人物が前記撮像手段を見たか否かを判定する目視判定手段と、前記目視判定手段によって前記撮像手段を見たと判定された場合に、不審人物情報を出力する不審人物情報出力手段とを備えたものから構成されている。
【０００６】
この構成により、監視カメラを意識して自然な行動を取りつつ、隙をついて突如犯罪行動を起こすといった計画的な犯行者を不審人物として検出することができる。
【０００７】
また、本発明の不審人物検出装置は、監視領域に投光する少なくとも一つの投光手段を備え、前記目視判定手段は、前記撮像手段が取得した反射光を含む映像信号を画像処理で解析して、前記監視領域内の人物が前記撮像手段を見たか否かを判定するよう構成されている。
【０００８】
この構成により、投光手段が投光することによって、監視領域内の人物の眼底により反射された反射光を撮像手段が撮像することができ、監視領域内にいる人物が撮像手段を見ているか否かを判定することができる。
【０００９】
また、本発明の不審人物検出装置は、前記目視判定手段の判定結果に基づいて、前記投光手段の投光パターンを制御する制御手段を備えるよう構成されている。
【００１０】
この構成により、目視判定手段によって不審人物が撮像手段を見たと判定された場合には、投光手段の投光回数の頻度を上げるよう制御し、撮像手段に的確に反射光を撮像させるとともに、目視判定手段によって不審人物が撮像手段を見ていたと判定されない場合には、投光手段の投光回数の頻度を上げず、一定の周期で投光するよう制御することによって、無駄な投光を防止することができる。
【００１１】
また、本発明の不審人物検出装置は、監視領域に赤外線を投射する少なくとも一つの赤外線投射手段を備え、前記目視判定手段は、前記撮像手段が取得した前記赤外線の反射光を含む映像信号を画像処理で解析して、前記監視領域内の人物が前記撮像手段を見たか否かを判定するよう構成されている。
【００１２】
この構成により、赤外線投射手段が赤外線を投射することによって、監視領域内の人物の眼底により反射された赤外線を撮像手段が撮像することができ、監視領域内にいる人物が撮像手段を見ているか否かを判定することができる。
【００１３】
また、本発明の不審人物検出装置は、前記目視判定手段の判定結果に基づいて、前記赤外線投射手段の投射パターンを制御する制御手段を備えるよう構成されている。
【００１４】
この構成により、目視判定手段によって不審人物が撮像手段を見たと判定された場合には、赤外線投射手段の投射回数の頻度を上げるよう制御し、撮像手段に的確に反射光を撮像させるとともに、目視判定手段によって不審人物が撮像手段を見ていたと判定されない場合には、赤外線投射手段の投射回数の頻度を上げず、一定の周期で投光するよう制御することによって、無駄な投光を防止することができる。
【００１５】
また、本発明の不審人物検出装置は、前記目視判定手段は、前記監視領域内にいる人物が前記撮像手段を予め設定された時間以上見続けた場合に、前記監視領域内にいる人物が前記撮像手段を見たと判定するよう構成されている。
【００１６】
この構成により、不審人物の誤検出を防止することができる。
【００１７】
また、本発明の不審人物検出装置は、前記目視判定手段は、前記監視領域内にいる人物が予め設定された回数以上前記撮像手段を見た場合に、前記監視領域内にいる人物が前記撮像手段を見たと判定するよう構成されている。
【００１８】
この構成により、不審人物の誤検出を防止することができる。
【００１９】
また、本発明の不審人物検出装置は、前記目視判定手段は、前記監視領域内にいる人物が予め定められた前記撮像手段数を見た場合に、前記監視領域内にいる人物が前記撮像手段を見たと判定するよう構成されている。
【００２０】
この構成により、不審人物の誤検出を防止することができる。
【００２１】
また、本発明の不審人物検出装置は、前記目視判定手段は、前記監視領域内に複数の人物がいる場合に、各々の人物について前記撮像手段を見たか否かを判定し、前記不審人物情報出力手段は、前記目視判定手段による各々の人物に対応する判定結果に基づいて、各々の不審人物情報を出力するよう構成されている。
【００２２】
この構成により、前記監視領域内に複数の人物がいる場合であっても、各々の人物に対して不審人物か否かを検出することできる。
【００２３】
また、本発明の不審人物検出装置は、前記目視判定手段は、前記監視領域内にいる人物が前記撮像手段を見続けた時間、前記監視領域内にいる人物が前記撮像手段を見た回数および前記監視領域内にいる人物が見た前記撮像手段数のうち少なくとも一つの判定結果を前記不審人物情報出力手段に出力し、前記不審人物情報出力手段は、前記目視判定手段の判定結果に基づいて、不審の程度を表す不審程度情報を出力するよう構成されている。
【００２４】
この構成により、目視判定手段の判定結果に基づいて、不審人物の不審の程度を表す不審程度情報を出力することができるので、監視者はその種別に応じて対応が可能となる。
【発明の効果】
【００２５】
本発明は、監視カメラを意識して自然な行動を取りつつ、隙をついて突如犯罪行動を起こすといった計画的な犯行者を不審人物として検出することができる不審人物検出装置を提供することができるものである。
【発明を実施するための最良の形態】
【００２６】
以下、本発明の実施の形態について、図面を参照して説明する。
（第１の実施の形態）
図１は本発明の第１の実施の形態における不審人物検出装置のブロック図である。
【００２７】
図１に示すように、本実施の形態における不審人物検出装置１は、監視領域を撮像する複数のカメラ２と、カメラ２によって得られた映像信号を画像処理で解析して、監視領域内の人物がカメラ２を見たか否かを判定する目視判定手段３と、目視判定手段３によってカメラ２を見たと判定された場合に、不審人物情報を出力する不審人物情報出力手段４とを備えるよう構成されている。
【００２８】
カメラ２は、撮像手段を構成し、それぞれの監視領域に複数設けられ、各カメラ２は、監視領域の一部を撮像するようになっている。ここで、監視領域とは、不審人物検出装置１が監視しようとする領域を示している。例えば、監視領域がカメラ２の撮像領域を超える場合等の監視領域が広範囲にわたる場合には、複数のカメラ２を設ける必要がある。また、本実施の形態においては、複数のカメラ２を設けているが、監視領域が広範囲にわたらない場合には、これに限らず一つであってもよい。
【００２９】
目視判定手段３は、複数のカメラ２によって得られた映像信号が入力されるようになっており、この複数のカメラ２によって得られた映像信号を画像処理で解析し、監視領域内の人物がカメラ２を見たか否かを判定するようになっている。なお、本実施の形態においては、目視判定手段３は、複数のカメラ２から得られた映像信号を画像処理で解析し、監視領域内の人物がカメラ２を見たか否かを判定するようになっているが、一台のカメラ２から得られた映像信号を画像処理で解析し、監視領域内の人物がカメラ２を見たか否かを判定するようにしてもよい。また、図３に示すように、各カメラ２に対応する目視判定手段３を設け、各目視判定手段３は、各カメラ２から得られた映像信号を画像処理で解析し、監視領域内の人物がカメラ２を見たか否かをそれぞれ判定するようにしてもよい。
【００３０】
また、目視判定手段３は、具体的には図２に示すように、カメラ２によって得られた映像６内から、白領域に黒い点が存在する部分を目の候補として、この目の候補が水平に二つ並んだものを眼領域７として検出し、この眼領域７に対する瞳孔８の相対位置から決定される撮像された人物の視線方向のベクトル９と撮像領域内の眼領域７の位置毎に予め記憶された視線方向のベクトル１０とを比較し、視線方向のベクトル９と視線方向のベクトル１０とが予め定められた時間一致し続ける場合には、カメラ２を見たと判定するような構成となっている。
【００３１】
また、前述の説明において、目視判定手段３は、視線方向のベクトル９と視線方向のベクトル１０とが予め定められた時間一致し続ける場合に、カメラ２を見たと判定しているが、これに限定されることなく、次に説明するような第１〜第３の構成としてもよい。
【００３２】
第１に、目視判定手段３は、視線方向のベクトル９と視線方向のベクトル１０とが単に一致する場合にカメラ２を見たと判定する構成としてもよい。
【００３３】
第２に、目視判定手段３は、監視領域内にいる人物が予め設定された回数以上カメラ２を見た場合に、監視領域内にいる人物がカメラ２を見たと判定する構成としてもよい。すなわち、目視判定手段３は、視線方向のベクトル９と視線方向のベクトル１０とが一致する回数が、予め定められた回数以上の場合に監視領域内にいる人物がカメラ２を見たと判定する。
【００３４】
第３に、目視判定手段３は、監視領域内にいる人物が予め定められたカメラ２の台数を見た場合に、監視領域内にいる人物がカメラ２を見たと判定する構成としてもよい。
【００３５】
不審人物情報出力手段４は、目視判定手段３によって監視領域内にいる人物がカメラ２を見たと判定された場合に、不審人物情報を出力するようになっている。具体的には、目視判定手段３の判定結果に基づいて、図４に示すように、不審人物５の種類や不審度を含んだ形式の不審程度情報をモニター等の表示装置に出力するようになっている。すなわち、目視判定手段３は、監視領域内にいる人物がカメラ２を見続けた時間、監視領域内にいる人物がカメラ２を見た回数および監視領域内にいる人物が見たカメラ２の台数のうち少なくとも一つの判定結果を不審人物情報出力手段４に出力し、不審人物情報出力手段４は、目視判定手段３の判定結果に基づいて、不審の程度を表す不審程度情報を出力するような構成になっている。
【００３６】
また、目視判定手段３は、監視領域内に複数の人物がいる場合に、各々の人物についてカメラ２を見たか否かを判定し、不審人物情報出力手段４は、目視判定手段３による各々の人物に対応する判定結果に基づいて、各々の不審程度情報を表示装置等に出力するようにしてもよい。
【００３７】
以上のように構成された不審人物検出装置１の処理について以下説明する。
【００３８】
不審人物検出装置１は、カメラ２によって監視領域を撮像し、この映像信号に対して目視判定手段３が画像処理によって、監視領域内の人物がカメラ２を見たか否かの判定を行う。ここで、画像処理において、図２に示す通り、撮影された映像６内から、白領域に黒い点が存在する部分を目の候補として、この目の候補が水平に二つ並んだものを眼領域７として検出する。次いで、目視判定手段３が、眼領域７に対する瞳孔８の相対位置から決定される撮影された人物の視線方向のベクトル９と、監視領域内の眼領域７の位置ごとにあらかじめ設定された視線方向のベクトル１０とを比較し、一定時間以上一致し続けるかどうかで視線がカメラ２の方向を向いているかを判定する。この判定結果を不審人物情報出力手段４に出力する。不審人物情報出力手段４が判定結果を受けて不審程度情報を出力して不審人物５の存在および不審人物情報を監視者に対して通知する。
【００３９】
このような本実施の形態の不審人物検出装置１によれば、監視カメラを意識して自然な行動を取りつつ、隙をついて突如犯罪行動を起こすといった計画的な犯行者を検出することができる。例えば、テロリストが犯行現場を下見して、監視カメラの設置場所等を確認している場合に、テロリスト等を不審人物として検出でき、テロの事前防止に大きな効果をもたらすこと等が期待することができる。また、この検出したテロリスト等の不審人物の画像を記憶する記憶手段を設けて、この記憶手段に検出したテロリスト等の不審人物の画像を記憶することにより、事後的な追跡に役立たせることができる。
【００４０】
また、本実施の形態の不審人物検出装置１によれば、目視判定手段３は、監視領域内にいる人物がカメラを予め設定された時間以上見続けた場合に、監視領域内にいる人物がカメラ２を見たと判定することにより、不審人物の誤検出を防止することができる。
【００４１】
また、本実施の形態の不審人物検出装置１によれば、目視判定手段３は、監視領域内にいる人物が予め設定された回数以上カメラを見た場合に、監視領域内にいる人物がカメラ２を見たと判定することにより、不審人物の誤検出を防止することができる。
【００４２】
また、本実施の形態の不審人物検出装置１によれば、目視判定手段３は、監視領域内にいる人物が予め定められたカメラ２の台数を見た場合に、監視領域内にいる人物がカメラを見たと判定することにより、不審人物の誤検出を防止することができる。
【００４３】
また、本実施の形態の不審人物検出装置１によれば、目視判定手段３は、監視領域内に複数の人物がいる場合に、各々の人物についてカメラ２を見たか否かを判定し、不審人物情報出力手段４は、目視判定手段３による各々の人物に対応する判定結果に基づいて、各々の不審程度情報を出力することにより、監視領域内に複数の人物がいる場合であっても、各々の人物に対して不審人物か否かを検出することできる。
【００４４】
また、本実施の形態の不審人物検出装置１によれば、目視判定手段３は、監視領域内にいる人物がカメラ２を見続けた時間、監視領域内にいる人物がカメラ２を見た回数および監視領域内にいる人物が見たカメラの台数のうち少なくとも一つの検出結果を不審人物情報出力手段４に出力し、不審人物情報出力手段４は、目視判定手段３の判定結果に基づいて、不審の程度を表す不審程度情報を出力することにより、監視者は、不審程度情報に基づいて、その種別に応じて対応が可能となる。
（第２の実施の形態）
図５は本発明の第２の実施の形態における不審人物検出装置のブロック図である。図５において第１の実施の形態と同様の構成については同一の符号を付して、その説明を省略する。
【００４５】
第２の実施の形態の不審人物検出装置１１は、監視領域に投光する少なくとも一つの投光手段１２と、目視判定手段３の判定結果に基づいて、投光手段１２の投光パターンを制御可能な投光制御手段１３とを備え、目視判定手段３は、カメラ２が取得した反射光を含む映像信号を画像処理で解析して、監視領域内の人物がカメラ２を見たか否かを判定する構成になっている。
【００４６】
投光制御手段１３は、目視判定手段３の判定結果に基づいて、投光手段１２の発光パターンを制御する場合、予め定められた周期で投光を繰り返すようになっている。例えば、目視判定手段３によって監視領域内の人物が目視していると判定された場合には、投光制御手段１３は、投光手段１２の投光周期が短くなるように投光手段１２を制御するようになっている。
【００４７】
以上のように構成された不審人物検出装置１１の処理について以下説明する。
【００４８】
投光制御手段１３が投光手段１２を制御し、発光を行い、カメラ２が監視領域を撮像する。ここで、監視領域内の人物がカメラ２を目視していた場合、投光手段１２が発光した光が目視していた人物の眼底により反射され、その反射光がカメラ２によって撮像される。次いで、目視判定手段３は、カメラ２にから入力された反射光を含む映像信号を画像処理で解析し、監視領域内の人物がカメラ２を見たか否かを判定し、判定結果を不審人物情報出力手段４および投光制御手段１３に出力する。ここで、画像処理において、図６に示す通り、投光手段１２から投光された光が撮影された人物１４の眼底で反射された光について、映像信号から強く光る点を検出し眼底による反射光の候補として目視判定手段３によって検出される。この目の候補が水平に二つ並んだ場合に、これを撮影された人物１４の目による反射光として目視判定手段３によって判断される。この反射光の強さを面積と輝度から算出し、反射光があらかじめ設定された強さよりも強ければ撮影されている人物がカメラ２を見ていると目視判定手段３によって判定される。投光制御手段１３は、目視判定手段３の判定結果に基づいて、予め定められた周期で投光を繰り返すよう投光手段１２を制御する。ここで、例えば、投光制御手段１３は、目視判定手段３によって監視領域内の人物が目視していると判定された場合には、投光手段１２の投光周期が短くなるように投光手段１２を制御する。また、目視判定手段３の判定結果に基づいて、不審人物情報出力手段４によって不審人物情報が出力される。
【００４９】
また、本実施の形態と異なる形態として、画像処理においては、反射光から眼領域１５を検出し、検出した眼領域１５の中から瞳孔８の位置を検出し、眼領域１５に対する瞳孔８の相対位置から決定される視線方向のベクトル９と眼領域１５の位置ごとにあらかじめ設定された視線方向のベクトル１０とを比較し、視線がカメラ方向を向いているかどうかを判定してもよい。
【００５０】
なお、本実施の形態においては、投光制御手段１３によって予め定められた周期で投光を繰り返すように投光手段１２が制御されるようになっているが、これに限定されることなく、投光制御手段１３は、投光手段１２が投光パターンとして常時投光し続けるように制御するようにしてもよい。
【００５１】
また、本実施の形態においては、投光制御手段１３は、目視判定手段３の判定結果に基づいて、予め定められた周期で投光を繰り返すよう投光手段１２を制御しているが、これに限定されることなく、例えば、投光制御手段１３は目視判定手段３の判定結果に基づいて、予め定められた時間、投光し続けるよう投光手段１２を制御するようにしてもよい。
【００５２】
また、投光制御手段１３は、目視判定手段３の判定結果に基づいて、投光手段１２の投光を制御しているが、これに限定されることなく、投光制御手段１３は、目視判定手段３の判定結果を受けなくても単独で投光手段１２を予め定められた周期で投光を繰り返すよう制御してもよい。
【００５３】
なお、上記の本実施の形態においては、光を投光する投光手段１２を用いているが、この投光手段１２に換えて、監視領域に赤外線を投射する少なくとも一つの赤外線投射手段を備えていてもよい。この場合、目視判定手段３は、カメラ２が取得した赤外線の反射光を含む映像信号を画像処理で解析して、監視領域内の人物がカメラ２を見たか否かを判定するように構成する。また上記と同様にして、赤外線投射手段を制御可能な投射制御手段を設け、投射制御手段は、目視判定手段３の判定結果に基づいて、赤外線投射手段の投射パターンを制御するにしてもよい。
【００５４】
このような本実施の形態の不審人物検出装置１１によれば、監視領域に投光する少なくとも一つの投光手段１２を備え、目視判定手段３は、カメラが取得した反射光を含む映像信号を画像処理で解析して、監視領域内の人物がカメラを見たか否かを判定することにより、第１の実施の形態の作用効果に加えて、監視領域内の人物の眼底により反射された反射光をカメラ２が撮像することができるため、監視領域内にいる人物がカメラ２を見ているか否かを判定することができる。
【００５５】
また、本実施の形態の不審人物検出装置１１によれば、投光手段１２を制御可能な投光制御手段１３を備え、目視判定手段３の判定結果に基づいて、投光手段１２の投光パターンを制御することにより、目視判定手段３によって不審人物５がカメラ２を見たと判定された場合には、投光手段１２の投光回数の頻度を上げるよう制御し、カメラ２に的確に反射光を撮像させるとともに、目視判定手段３によって不審人物５がカメラ２を見ていたと判定されない場合には、投光手段１２の投光回数の頻度を上げず、一定の周期で投光するよう制御することによって、無駄な投光を防止することができる。
【００５６】
また、本実施の形態の不審人物検出装置１１によれば、監視領域に赤外線を投射可能な少なくとも一つの赤外線投射手段を備え、目視判定手段３は、カメラ２が取得した赤外線の反射光を含む映像信号を画像処理で解析して、監視領域内の人物がカメラ２を見たか否かを判定することにより、監視領域内の人物の眼底により反射された赤外線をカメラ２が撮像することができ、監視領域内にいる人物がカメラ２を見ているか否かを判定することができる。
【００５７】
また、本実施の形態の不審人物検出装置１１によれば、赤外線投射手段を制御可能な投射制御手段を備え、目視判定手段３の判定結果に基づいて、赤外線投射手段の投射パターンを制御することにより、目視判定手段３によって不審人物５がカメラ２を見たと判定された場合には、赤外線投射手段の投射回数の頻度を上げるよう制御し、カメラ２に的確に反射光を撮像させるとともに、目視判定手段３によって不審人物５がカメラ２を見ていたと判定されない場合には、赤外線投射手段の投射回数の頻度を上げず、一定の周期で投光するよう制御することによって、無駄な投光を防止することができる。
【産業上の利用可能性】
【００５８】
以上のように、本発明にかかる不審人物検出装置は、監視カメラを意識して自然な行動を取りつつ、隙をついて突如犯罪行動を起こすといった計画的な犯行者を不審人物として検出することができるという効果を有し、監視カメラ等を用いて不審人物を検出できる不審人物検出装置等として有用である。
【図面の簡単な説明】
【００５９】
【図１】本発明の第１の実施の形態における不審人物検出装置のブロック図
【図２】本発明の第１の実施の形態および第２の実施の形態の不審人物検出装置における視線方向の検出方法の説明図
【図３】本発明の第１の実施の形態における不審人物検出装置のブロック図
【図４】本発明の第１の実施の形態および第２の実施の形態の不審人物検出装置における不審人物情報の説明図
【図５】本発明の第２の実施の形態における不審人物検出装置のブロック図
【図６】本発明の第２の実施の形態の不審人物検出装置における視線方向の検出方法の説明図
【図７】従来の不審人物検出装置のブロック図
【符号の説明】
【００６０】
１、１１  不審人物検出装置
２  カメラ（撮像手段）
３  目視判定手段
４  不審人物情報出力手段
５  不審人物
６  映像
７、１５  眼領域
８  瞳孔
９  視線方向のベクトル
１０  視線方向のベクトル
１２  投光手段
１３  投光制御手段（制御手段）
１４  人物
【図１】
2006092290.tif 000003
【図２】
2006092290.tif 000004
【図３】
2006092290.tif 000005
【図４】
2006092290.tif 000006
【図５】
2006092290.tif 000007
【図６】
2006092290.tif 000008
【図７】
2006092290.tif 000009